【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
被験者の疾病を検査するための検査端末と、疾病統計情報を生成するサーバとを含む統計情報提供システムであって、
前記検査端末は、
前記被験者の端末であり、
前記疾病を検査するための検査情報を取得する検査情報取得部と、
前記検査情報を前記サーバに送信する送信部と
を備え、
前記サーバは、
前記検査情報と前記被験者の位置情報とを受信する受信部と、
前記検査情報と記憶部に記憶されている検査判定情報とを比較して前記疾病の有無又は程度を判定する手段を含む疾病判定部と、
前記疾病判定部の判定結果である疾病判定情報と前記位置情報とに基づいて、前記疾病における地域別の前記疾病統計情報を作成する手段を含む疾病統計情報作成部と、
前記疾病統計情報を出力する出力部と
を備えることを特徴とする統計情報提供システム。
【請求項２】
被験者の疾病を検査するための検査端末と、疾病統計情報を生成するサーバとを含む統計情報提供システムであって、
前記検査端末は、
前記被験者の端末であり、
前記疾病を検査するための検査情報を取得する検査情報取得部と、
前記検査情報と記憶部に記憶されている検査判定情報とを比較して前記疾病の有無又は程度を判定する手段を含む疾病判定部と、
前記疾病判定部の判定結果である疾病判定情報を前記サーバに送信する送信部と
を備え、
前記サーバは、
前記疾病判定情報と前記被験者の位置情報とを受信する受信部と、
前記疾病判定情報と前記位置情報とに基づいて、前記疾病における地域別の前記疾病統計情報を作成する手段含む疾病統計情報作成部と、
前記疾病統計情報を出力する出力部と
を備えることを特徴とする統計情報提供システム。
【請求項３】
被験者の疾病の有無又は程度を判定した判定結果である疾病判定情報と、前記疾病判定情報を得るため用いられる検査情報と、前記被験者の検査端末における位置情報とに基づいて、前記疾病における地域別の疾病統計情報を生成する手段を含む統計情報生成部と、
前記疾病統計情報を出力する出力部と
を備えることを特徴とする統計情報提供サーバ。
【請求項４】
請求項３に記載の統計情報提供サーバにおいて、
前記統計情報生成部は、
前記検査情報と記憶部に記憶されている検査判定情報とを比較して前記疾病の有無又は程度を判定する手段を含む検査端末から前記疾病判定情報と、前記位置情報とを受信する受信部と、
前記疾病判定情報と前記位置情報とに基づいて、前記疾病統計情報を作成する手段を含む疾病統計情報作成部と
を有することを特徴とする統計情報提供サーバ。
【請求項５】
請求項３に記載の統計情報提供サーバにおいて、
前記統計情報生成部は、
前記疾病を検査するための検査端末から前記検査情報と、前記位置情報とを受信する受信部と、
前記検査情報と記憶部に記憶されている検査判定情報とを比較して前記疾病の有無又は程度を判定する手段を含む疾病判定部と、
前記疾病判定情報と前記位置情報とに基づいて、前記疾病統計情報を作成する手段を含む疾病統計情報作成部と
を有することを特徴とする統計情報提供サーバ。
【請求項６】
請求項４又は請求項５に記載の統計情報提供サーバにおいて、
前記位置情報は、前記検査端末の位置情報であることを特徴とする統計情報提供サーバ。
【請求項７】
請求項３から請求項５の何れか１項に記載の統計情報提供サーバにおいて、
前記位置情報は、前記被験者の属性情報に基づく位置情報であることを特徴とする統計情報提供サーバ。
【請求項８】
請求項３から請求項７の何れか１項に記載の統計情報提供サーバにおいて、
前記統計情報生成部は、前記疾病統計情報を所定の時間帯ごとに生成する手段を含むことを特徴とする統計情報提供サーバ。
【請求項９】
請求項３から請求項８の何れか１項に記載の統計情報提供サーバにおいて、
前記統計情報生成部は、所定の時間内における同一の前記被験者の前記疾病判定情報が２以上存在するときは、前記２以上存在する前記疾病判定情報のうちの一の前記疾病判定情報に基づいて、前記疾病統計情報を生成する手段を含むことを特徴とする統計情報提供サーバ。
【請求項１０】
請求項３から請求項９の何れか１項に記載の統計情報提供サーバにおいて、
前記統計情報生成部は、地域別の前記疾病統計情報に基づいて地域住民の外出動向を示す外出動向情報を生成する手段を含むことを特徴とする統計情報提供サーバ。
【請求項１１】
請求項１０に記載の統計情報提供サーバにおいて、
前記統計情報生成部は、前記外出動向情報を所定の時間帯ごとに生成する手段を含むことを特徴とする統計情報提供サーバ。
【請求項１２】
請求項３から請求項１１の何れか１項に記載の統計情報提供サーバにおいて、
前記出力部は、会員毎に指定された指定地域を示す指定地域情報と会員毎に指定された指定出力先を示す指定出力先情報とを含む会員情報に基づいて、前記統計情報生成部によって生成された情報を出力することを特徴とする統計情報提供サーバ。
【請求項１３】
請求項１２に記載の統計情報提供サーバにおいて、
前記会員は、国又は地方自治体、医療業者、生命保険業者、保健衛生業者、社会保険・社会福祉・介護事業者、医薬品の製造業者、医薬品の流通業者、学術・開発研究機関、教育・学習支援業者、情報通信業者、及びこれらと取引する取引業者のうちの少なくとも１つであって、
前記統計情報生成部は、疾病別の前記疾病統計情報を生成する手段を含むことを特徴とする統計情報提供サーバ。
【請求項１４】
請求項１２に記載の統計情報提供サーバにおいて、
前記会員は、卸売業者、小売業者、宿泊業者、飲食サービス業者、生活関連サービス業者、娯楽業者、運輸業者、郵便業者、及びこれらと取引する取引業者のうちの少なくとも１つであって、
前記出力部は、前記会員情報に基づいて、各会員の前記指定出力先に、前記外出動向情報を出力することを特徴とする統計情報提供サーバ。
【請求項１５】
請求項１２から請求項１４の何れか１項に記載の統計情報提供サーバにおいて、
前記出力部は、会員毎に指定された指定出力時間を示す指定出力時間情報を含む前記会員情報に基づいて、前記統計情報生成部によって生成された情報を、各会員の前記指定出力時間に出力することを特徴とする統計情報提供サーバ。
【請求項１６】
請求項１２から請求項１５の何れか１項に記載の統計情報提供サーバにおいて、
前記出力部は、前記会員に対して前記統計情報生成部によって生成された情報を出力した後、前記会員に対する課金情報を記憶部に記憶させることを特徴とする統計情報提供サーバ。
【請求項１７】
請求項３から請求項１６の何れか１項に記載の統計情報提供サーバにおいて、
前記出力部は、前記統計情報生成部によって生成された情報と広告情報とを出力することを特徴とする統計情報提供サーバ。
【請求項１８】
請求項３から請求項１７の何れか１項に記載の統計情報提供サーバにおいて、
前記疾病統計情報は、前記疾病の有無又は程度の時間的な変化率を示す情報を含むことを特徴とする統計情報提供サーバ。
【請求項１９】
請求項３から請求項１７の何れか１項に記載の統計情報提供サーバにおいて、
前記出力部は、前記検査情報と前記被験者の属性を示す属性情報とを医療機関の電子カルテシステムに出力することを特徴とする統計情報提供サーバ。
【請求項２０】
請求項４から請求項１９の何れか１項に記載の統計情報提供サーバにおいて、
前記統計情報生成部は、前記疾病判定情報と前記位置情報と前記被験者の属性を示す属性情報とに基づいて、前記属性別の前記疾病統計情報を生成する手段を含むことを特徴とする統計情報提供サーバ。
【請求項２１】
請求項３から請求項２０の何れか１項に記載の統計情報提供サーバから前記疾病判定情報又は前記疾病統計情報の何れか一方又は両方を受信する受信部と、
前記受信部によって受信された前記疾病判定情報又は前記疾病統計情報を表示する表示部と
を備えることを特徴とする移動端末。
【請求項２２】
請求項１２から請求項２０の何れか１項に記載の統計情報提供サーバから前記疾病統計情報又は前記外出動向情報の何れか一方又は両方を受信する受信部と、
前記受信部によって受信された前記疾病統計情報又は前記外出動向情報を表示する表示部と
を備えることを特徴とする会員端末。
【請求項２３】
被験者が所有する端末であり、
前記被験者の疾病の有無又は程度の判定に用いられる検査情報を取得する検査情報取得部と、
前記検査情報と記憶部に記憶されている検査判定情報とを比較して前記疾病の有無又は程度を判定する手段と、前記疾病における地域別の疾病統計情報を生成する手段とを含むサーバに、前記検査情報を送信する送信部と、
前記サーバによる前記疾病の有無又は程度の判定結果である疾病判定情報、又は、前記疾病統計情報の何れか一方又は両方を受信する受信部と、
前記疾病判定情報又は前記疾病統計情報を表示する表示部と
を備えることを特徴とする検査端末。
【請求項２４】
被験者が所有する端末であり、
前記被験者の疾病の有無又は程度の判定に用いられる検査情報を取得する検査情報取得部と、
前記検査情報と記憶部に記憶されている検査判定情報とを比較して前記疾病の有無又は程度を判定する手段を含む疾病判定部と、
前記疾病判定部の判定結果である疾病判定情報と前記被験者の位置情報とに基づいて前記疾病における地域別の疾病統計情報を生成する手段を含むサーバに、前記疾病判定情報を送信する送信部と、
前記疾病統計情報を受信する受信部と、
前記疾病判定情報又は前記疾病統計情報を表示する表示部と
を備えることを特徴とする検査端末。
【請求項２５】
請求項２３又は請求項２４に記載の検査端末において、
前記疾病を検査する検査デバイスの装着部を備え、
前記検査情報取得部は、前記検査デバイスから前記検査情報を取得する手段を含むことを特徴とする検査端末。
【請求項２６】
請求項２３に記載の検査端末において、
前記検査デバイスは、複数の前記疾病を検査可能であって、
前記検査情報取得部は、前記検査デバイスから複数の前記検査情報を選択的に取得する手段を含むことを特徴とする検査端末。
【請求項２７】
統計情報提供サーバのコンピュータに、
被験者の検査端末から該被験者の疾病の有無又は程度を判定した判定結果である疾病判定情報を受信する受信ステップと、
前記疾病判定情報と前記被験者の位置情報とに基づいて、地域別の疾病統計情報を作成する疾病統計情報作成ステップと、
前記疾病統計情報を出力する出力ステップと
を実行させることを特徴とするプログラム。
【請求項２８】
統計情報提供サーバのコンピュータに、
被験者の検査端末から該被験者の疾病を検査するための検査情報を受信する受信ステップと、
前記検査情報と記憶部に記憶されている検査判定情報とを比較して前記疾病の有無又は程度を判定する疾病判定ステップと、
前記疾病判定ステップにおける判定結果である疾病判定情報と前記被験者の位置情報とに基づいて、地域別の疾病統計情報を作成する疾病統計情報作成ステップと、
前記疾病統計情報を出力する出力ステップと
を実行させることを特徴とするプログラム。
【請求項２９】
疾病統計情報を提供する統計情報提供システムであって、
被験者の疾病を検査するための検査情報を取得する検査情報取得部と、前記検査情報を送信する送信部と、を備える検査端末と、
前記検査情報と前記被験者の位置情報とを受信する受信部と、前記検査情報と記憶部に記憶されている検査判定情報とを比較して前記疾病の有無又は程度を判定する手段を含む疾病判定部と、前記疾病判定部の判定結果である疾病判定情報と前記位置情報とに基づいて、前記疾病における地域別の前記疾病統計情報を作成する手段を含む疾病統計情報作成部と、会員毎に指定された指定地域を示す指定地域情報と会員毎に指定された指定出力先を示す指定出力先情報とを含む会員情報に基づいて、前記疾病統計情報を出力する出力部と、を備えるサーバと、
前記疾病統計情報を受信する会員端末と、
を備えることを特徴とする統計情報提供システム。